(57)【要約】【課題】コンテンツ間の意味関係の管理が概して極めて曖昧かつ恣意的であり、厳密に管理のために意味関係を体系的に整理して利用できず、意味関係の付与がコンテンツの部分について行われることが多く、意味関係の付与が複数のメッセージやその部分の間での行われ、意味関係の指定操作が煩瑣である。【解決手段】コンテンツ表示手段と、意味関係を付与する対象を指定する対象指定手段と、意味関係指定手段と、意味関係の種類と値を格納する意味関係体系格納手段と、意味関係を指定するための指定語彙を格納する意味関係指定語彙格納手段と、コンテンツの入力手段と、コンテンツ記録手段と、コンテンツまたはその部分の間の意味関係の種類とその値を記録する意味関係記録手段とを備え、様々な意味関係を体系的に用意し、ユーザが様々な意味関係の付与を従来より少ない指定操作で行うことを支援する。【選択図】        図１
2004258818.tif 000002
【特許請求の範囲】
【請求項１】
２つまたはそれ以上のコンテンツまたはその部分を表示するコンテンツ表示手段と、意味関係を指定する対象であるコンテンツやその部分を指定する対象指定手段と、対象の間の意味関係を指定する意味関係指定手段と、指定することができる意味関係の種類とそのとりうる値を体系的に格納する意味関係体系格納手段と、意味関係体系格納手段の格納する意味関係の体系を意味関係指定手段により指定するための指定語彙を体系的に格納する意味関係指定語彙格納手段と、コンテンツを新規にまたは追加して入力するための入力手段と、コンテンツを記録するコンテンツ記録手段と、コンテンツまたはその部分の間の意味関係の種類とその値を記録する意味関係記録手段とを、備えてなるコンテンツ制御システム。
【請求項２】
請求項１において、意味関係指定語彙格納手段を参照してコンテンツに現れる単語やその構文やＸＭＬタグなどを解析するコンテンツ解析手段を備えてなるコンテンツ制御システム。
【発明の詳細な説明】
【０００１】
【発明が属する技術分野】
本発明は、コンテンツ間の意味関係の付与が容易なコンテンツ制御システムに関するものである。
【０００２】
【従来の技術】
人がコンテンツを操作する行為の多くは、システムを用いてコンテンツ間に意味関係を付与するコンテンツ制御といえる。例えば、従来から盛んにおこなわれているメーリングリストやＷＥＢ掲示板システム（以下、単に掲示板と呼ぶ）のように、インターネットなどの情報システムを用いて多人数が意見や質問・回答などのメッセージを述べ合う行為も、その一例である。
【０００３】
ここで、以下のように、ある人ｓａｋｕｙａｒｅｉが掲示板に「未経験でプログラマになりたい」というタイトルのメッセージ１を投稿し、別の人ｋｉｎｄａｉ８８が「まずは派遣会社に登録して」というタイトルのメッセージ２を、返信またはコメント（以下、返信とする）として投稿したという例で説明する。ただし、ここのなかの（部分１−１の始まり）や（部分１−１の終わり）、などの記載は、本明細書での説明のために便宜的につけたものであり、従来の通常の掲示板には存在しないものとする。
【０００４】
『メッセージ１』
ＩＤ：１
未経験でプログラマーになりたい。
投稿者：ｓａｋｕｙａｒｅｉ２００２／７／９１６：５８
メッセージ：１／４９
（部分１−１の始まり）
現在２８歳の女性です。
大学卒業後ずっと総務事務をやってきました。
３０を目前に控え、このままでいいのかと自問自答の毎日です。
昔から強い憧れと興味を持っていたＩＴ業界に入り、プログラマーになりたいと思っています。
文系の大学で、まったくの未経験です。初級シスアドは持っていますが、プログラムの経験などはまったくありません。
女で、この年で、文系で、まったくの未経験で、プログラマーになれるでしょうか。
転職活動を始めたいのですが、可能性を考えると躊躇してしまいます。
今の私がアピールできることは「やる気」だけです。
挑戦するだけでもしてみようか迷っています。
（部分１−１の終わり）
（部分１−２の始まり）
このような条件でも育ててくださるような企業はあるでしょうか。
（部分１−２の終わり）
【０００５】
『メッセージ２』
ＩＤ：２
まずは
投稿者：ｋｉｎｄａｉ８８２００２／７／９１７：３３
メッセージ：２／４９
大丈夫。
どうするか？。
派遣会社に登録すれば、派遣会社が会社を
見つけてきてくます。はじめは、希望にそった仕事じゃないけもしれないけど
１〜２年ぐらい勤めていれば、ある程度経験は積めます。
あとは社員として雇ってくれる会社に受ければいいじゃないでしょうか。
さらに、よくがあれば専門的知識を
得て大手企業など目指しては。
上記は、私の経験談でありますから。
もっと、他にいい方法があるかもしれませんが、それは自分で見つけてください。
私は男ですが、あまり女性だからと
差別を意識したことはありません。
やる気はすでに目標に半分を達成したって
こと聞いたことがあります。
がんばってください。
これはｓａｋｕｙａｒｅｉさんの１に対する返信です
【０００６】
このメッセージ２は、「未経験でプログラマになる」というメッセージ１の主旨（主旨命題１と呼ぶことにする、以下同様）に対して古典論理の真理値として真を付与するとともに、「未経験でプログラマになる」のための実現方法を付与している考えることができる。また、別の人ｂａｒｅｂａｒｅｓａｎが以下のような「止めましょう」というタイトルのメッセージ５を投稿したとすると、このメッセージ５は主旨命題１に対する古典論理の真理値は付与していないが、主旨命題１について「するべきであるかどうか」という様相論理の真理値とその理由を付与している考えることができる。
【０００７】
『メッセージ５』
ＩＤ：５
止めましょう。
投稿者：ｂａｒｅｂａｒｅｓａｎ２００２／７／９２１：２３
メッセージ：５／４９
とにかく分野を問わず、きつい業界です。昔コボルをやっていたＳＥさんが、営業にかり出されて泣いていた（女性、３０代）姿もよく見ました。
とにかく止めましょう。
これはｓａｋｕｙａｒｅｉさんの１に対する返信です
【０００８】
以下では、古典論理の真理値やさまざまな様相論理の真理値をあわせて「さまざまな種類の真理値」と呼び、ある真理値が古典論理やさまざまな様相論理の真理値のうちでいずれを表現しているかを総称して「真理値の種類」と呼ぶことにする。また以下では、必要により様相論理の真理値を様相値と呼ぶことがある。このような様相論理の真理値を考えると、メッセージ２もメッセージ１に対して「可能であるかどうか」という様相論理の真理値として真を付与しているとも考えることができる。
【０００９】
このように、メッセージとメッセージの間に付与される意味関係には、真理値の種類やその値（真、偽、一部分真、不明など）により表現される意味関係（以下、真理値意味関係とよぶ）、さらには実現方法や理由といった内実により表現される意味関係（以下、内実意味関係とよぶ）があることが分かる。これらを総称して、「意味関係の種類」と呼ぶ。
【０００１０】
しかし、従来の掲示板やメーリングリストでは、単にメッセージ２やメッセージ５がメッセージ１への返信であることを示すのみであり、あるメッセージが別のメッセージに与える意味関係はタイトルなどに極めて曖昧かつ恣意的に表現できるのみだった。また、メッセージ間の意味関係をより明確に表現するシステムとして、たとえばＣｏｎｋｌｉｎにより開発されたｇＩＢＩＳがある。しかし、ｇＩＢＩＳでは真理値意味関係と内実意味関係を明確に区分できず、両者が渾然一体となっている。
【０００１１】
Ｓｅｍａｎｔｉｃ  Ｗｅｂを利用しても、メッセージ間の意味関係をより明確にＸＭＬの文法を使って表現することができ、しかもＸＭＬのタグを拡張することも出来る。しかしながら、たとえＳｅｍａｎｔｉｃ  Ｗｅｂを利用しても、そのようなさまざまな意味関係を付与する上では、４つの本質的な問題が存在する。
【００１２】
１つには、そのようなさまざまな意味関係を体系的に整理して利用可能にする技術が存在しなかったことである。すなわち、Ｓｅｍａｎｔｉｃ  Ｗｅｂにおいても、真理値意味関係と内実意味関係を明確に区分し、それらを体系的に利用する技術は存在しなかった。
【００１３】
２つには、意味関係の付与はメッセージ全体について行われる場合もあるが、実際にはメッセージの部分について行われることが多いということである。たとえば図にあるメッセージ１２についてみると、その上の部分１２−１ではメッセージ１全体（つまりメッセージ１の「未経験でプログラマになる」という主旨命題１）に対して古典論理の真理値としても「可能であるかどうか」という様相論理の真理値としても真を付与しており、かつその理由も付与している。しかし、下の部分１２−２では、主旨命題１に対して「するべきであるかどうか」という様相論理の真理値として偽を付与しており、その理由も付与している。このようにメッセージが部分に分かれるという事態には、意味関係を付与するメッセージが部分に分かれる場合もあれば、意味関係を付与されるメッセージが部分に分かれる場合もあれば、両方が部分に分かれる場合もある。
【００１４】
３つには、意味関係の付与は、複数のメッセージやその部分の間で行われることである。たとえば、以下のようなメッセージ１２の下の部分１２−２は、メッセージ５の主旨命題「プログラマになるのは止める」に対しても、意味関係を付与している。ここでは、当該部分は、「するべきであるかどうか」という様相論理の真理値として偽を付与しており、その理由も付与している。
【００１５】
『メッセージ１２』
ＩＤ：１２
９５％プログラマーデビューできますよ
投稿者：ｉｋｕｏｎ＿２００２２００２／７／１１３：４３
メッセージ：１２／６８
（部分１２−１の始まり）
こんちは。
プログラマー早期引退したものです。
あなたは１００％に近い確立でプログラマーになれると思いますよ。
それはなぜかというと、文系私大・未経験・女性・２８歳・やる気・シスアドだからです。
つまり、転職回数繰返してもいないようですし、現在までのキャリアからするとなにも問題がないと言わせて頂きます。
そういう私は男ですが、２５歳の時にあなたたと同じように上記の各自己説を述べて採用者を説き伏せました。
安心してプログラマーを目指してください。
（部分１２−１の終わり）
（部分１２−２の始まり）
ただ、他の方の別トピにもあるようにこの業界は過酷な労働条件下に身を投じる必要があります。本日の営業時間が０：００までならそれまでに、お客さんのその日の目標に添うよう、簡単な解決法をプログラム教材から探しあてます。このようになりたいのであれば、是非プログラマーを目指しましょう！
（部分１２−２の終わり）
これはｓａｋｕｙａｒｅｉさんの１に対する返信です
【００１６】
４つには、以上のような意味関係の付与を指定するための操作（以下、指定操作と呼ぶ）が煩瑣なことである。たとえば、あるコンテンツの部分に対して別のコンテンツの部分が意味関係を付与する指定操作を考えよう。以下では、意味関係を付与されるコンテンツを被付与コンテンツと呼び、意味関係を付与するコンテンツを付与コンテンツと呼び、被付与コンテンツのうちで実際に意味関係が付与される部分を被付与部分、付与コンテンツのうちで実際に被付与部分を記載している部分を引用部分、付与コンテンツのうちで被付与部分について実際に意味関係を付与している部分を付与部分と呼ぶことにする。
【００１７】
そのような指定操作には、通常の文章においては、いわゆる引用のための操作に相当する。そこで以下では、必要により引用されるメッセージを被引用メッセージと呼び、引用するメッセージを引用メッセージと呼び、被引用メッセージのうちで実際に引用される部分を被引用部分と呼び、引用メッセージのうちで実際に被引用部分を記載している部分を引用部分と呼び、引用メッセージのうちで被引用部分について言及している部分を言及部分と呼ぶことにする。
【００１８】
通常の文章におけるいわゆる引用においては、被付与コンテンツは被引用メッセージに該当し、付与コンテンツは引用メッセージに該当し、被付与部分は被引用部分に該当し、引用部分は引用部分に該当し、付与部分は言及部分に該当する。
【００１９】
一方、引用のために、ＵＲＬやＳｅｍａｎｔｉｃ  ＷｅｂのＵＲＩを利用する場合は、被引用部分のＵＲＬやＵＲＩを記載している部分が引用場所になるが、通常の文章におけるいわゆる引用とは異なり、引用場所が自然言語で表示されるとは限らない。
【００２０】
以下では、通常の引用のための操作について、通常の掲示板においてマウスとキーボードを備えた通常のコンピュータを使ってメッセージ１に対して「自分自身で育つ。」というタイトルのメッセージ１０により返信するという、以下のような具体例で考えてみよう。
【００２１】
『メッセージ１０』
ＩＤ：１０
自分自身で育つ。
投稿者：ｈｉｒｏｕｋａｍｉａｒｉ２００２／７／１０７：４９
メッセージ：１０／６８
（部分１０−１の始まり）
＞このような条件でも育ててくださるような企業はあるでしょうか。
（部分１０−１の終わり）
（部分１０−２の始まり）
うーん、やる気と行動力があればなれる職業だと思いますよ。
（部分１０−２の終わり）
（部分１０−３の始まり）
だけど、最初から「育ててもらおう」と考えてちゃダメです、
それでは成長できない（しない）と思います。
企業は育つためのサポートはしてくれますが、環境を提供してくれる
だけと考えて望んだほうが良いです。。。
（部分１０−３の終わり）
これはｓａｋｕｙａｒｅｉさんの１に対する返信です
【００２２】
ここでは、引用部分１０−１は被引用部分１−２を引用している。このように引用をするためには、被引用部分と引用部分の場所を指定する必要がある。そのためには、まず被引用メッセージ（被付与コンテンツに相当）を開き、そのなかから引用部分（被付与部分に相当）をマウスで指定し、次にそれをコピーする旨の指定操作を行い、次に引用メッセージ（付与コンテンツに相当）を開き、言及部分（付与部分に相当）の直上に引用部分を貼り付けするための指定操作を行い、その直下の言及部分に意味付与の内容を自然言語で記載していくことになる。つまり、肝心の言及部分を記載する前に、メッセージを開く、その部分を選ぶ、その部分に対してコピー操作する、別のメッセージを選ぶ、その部分を選ぶ、その部分に対して貼り付け操作を行う、という煩瑣な作業が必要であり、しかもコピーや貼り付けのための操作自体も煩瑣である。
【００２３】
続く部分１０−２は、引用した部分１−２に対して意味関係を付与しているというより、メッセージ１全体またはその「未経験でプログラマになる」という主旨命題１に対して、「可能であるかどうか」という様相論理の真理値としても真を付与しており、かつその理由も付与している。つまり、部分１０−２は直上の引用部分以外に対して意味関係を付与している。このように言及部分と引用部分が適切に対応づけられていないのは（言及部分の直上に引用部分がないのは）、上記のような指定操作の煩雑さに起因する操作ミスのためと考えることができる。
【００２４】
このような煩瑣で間違いやすい指定操作の後でようやく、続く部分１０−３において、部分１０−１で引用した被引用部分１−２について、古典論理の真理値として偽を付与しており、またその理由も付与している。同様に、メーリングリストや通常の電子メールにおいて被引用メッセージから引用することも、やはり煩瑣である。
【００２５】
もちろん、ここでは自然言語で言及部分を記載しているのみであるため、人間が読み込んで意味関係の構造を把握する手間がかかるだけではなく、コンピュータを利用した意味関係の構造をいかした効率的な処理も不可能である。たとえば、Ｓｅｍａｎｔｉｃ  Ｗｅｂは、意味関係の構造の効率的な処理に利用できると期待されているが、さまざまな問題があることは上述したとおりである。仮にそれらの問題が解決されたとしても、指定操作の煩瑣さという第４の問題が重要なボトルネックとして残ることになる。しかも、メッセージが音声などのテキスト以外の形式の場合は、このような指定操作はさらに煩瑣となる。
【００２６】
さらに、上記の諸問題点は、投稿されたメッセージの間だけではなく、より一般的な問題点である。すなわち、上記の諸問題点は、既存または新規に作成されたコンテンツ同士の間で意味関係を付与する際に、広く当てはまる。
【００２７】
【発明が解決しようとする課題】
解決しようとする問題点は、従来のコンテンツ制御システムでは、コンテンツ間の意味関係の管理が概して極めて曖昧かつ恣意的である点、さらにはそれを厳密に管理しようとすると、意味関係を体系的に整理して利用可能にする技術が存在しない点、意味関係の付与がコンテンツの部分について行われることがほとんどである点、意味関係の付与が複数のメッセージやその部分の間での行われる点、意味関係の指定操作が煩瑣である点の、以上５点である。
【００２８】
【課題を解決するための手段】
本発明は、上記課題を解決すべく、以下の枠組みを採用する。すなわち、様々な意味関係を体系的に用意し、２つまたはそれ以上のコンテンツやその部分の間で、ユーザが様々な意味関係の付与を従来より少ない指定操作で行うことを支援する。
【００２９】
本発明は、いくつかの特徴的な手段の有機的な組合せにより、上記枠組みを実現する。
【００３０】
すなわち、本発明のコンテンツ制御システムは、２つまたはそれ以上のコンテンツまたはその部分を表示するコンテンツ表示手段と、意味関係を付与する対象であるコンテンツやその部分を指定する対象指定手段と、対象の間の意味関係を指定する意味関係指定手段と、付与を指定することができる意味関係の種類とそのとりうる値を体系的に格納する意味関係体系格納手段と、意味関係体系格納手段の格納する意味関係の体系を意味関係指定手段により指定するための指定語彙を体系的に格納する意味関係指定語彙格納手段と、コンテンツを新規にまたは追加して入力するための入力手段と、コンテンツを記録するコンテンツ記録手段と、コンテンツまたはその部分の間の意味関係の種類とその値を記録する意味関係記録手段とを、備えることを特徴とする。
【００３１】
ここで好適には、コンテンツ制御システムは、意味関係指定語彙格納モジュールを参照してコンテンツに現れる単語やその構文やＸＭＬタグなどを解析するコンテンツ解析モジュールを備える。
【００３２】
好適には、前記のコンテンツ表示手段、入力手段、コンテンツ解析手段、コンテンツ記録手段は、テキストのみならず、音声や映像などのマルチメディアコンテンツをそれぞれ表示、入力、解析、記録することができる。
【００３３】
また好適には、前記の対象指定手段、意味関係指定手段、入力手段のうちの少なくとも１つは、音声にて指定または入力を受け付ける機能を備える。
【００３４】
本発明のプログラムは、本発明の情報処理方法の工程をコンピュータ上で実行させることを特徴とする。本発明のプログラムは、ＣＤ−ＲＯＭ、磁気ディスク、半導体メモリなどの各種の記録媒体を通じて、又は通信ネットワークを介してコンピュータにインストール又はロードすることができる。
【００３５】
【発明の実施の形態】
以下、本発明の実施形態であるコンテンツ制御システムについて、説明する。本コンテンツ制御システムでは、図１に示すように、２つまたはそれ以上のコンテンツまたはその部分を表示するコンテンツ表示モジュールと、意味関係を付与する対象であるコンテンツやその部分を指定する対象指定モジュールと、対象の間の意味関係を指定する意味関係指定モジュールと、指定することができる意味関係の種類とそのとりうる値を体系的に格納する意味関係体系格納モジュールと、意味関係体系格納モジュールの格納する意味関係の体系を意味関係指定モジュールにより指定するための指定語彙を体系的に格納する意味関係指定語彙格納モジュールと、コンテンツを新規にまたは追加して入力するための入力モジュールと、コンテンツを記録するコンテンツ記録モジュールと、コンテンツまたはその部分の間の意味関係の種類とその値を記録する意味関係記録モジュールなどを含み、本システムのユーザが使用する端末と通信ネットワークを介して通信可能に構成される。
【００３６】
ここで好適には、図１に示すようにコンテンツ制御システムは、意味関係指定語彙格納モジュールを参照してコンテンツに現れる単語やその構文やＸＭＬタグなどを解析するコンテンツ解析モジュールを備える。
【００３７】
また、好適には、コンテンツ記録モジュールの各コンテンツはＸＭＬにより記載され、意味関係記録モジュールの内容も各コンテンツにＸＭＬを用いて記載される。Ｓｅｍａｎｔｉｃ  Ｗｅｂの記載方法を利用してもよい。その場合、コンテンツ記録モジュールと意味関係記録モジュールは、実装上は１つのデータベースとなってもよい。
【００３８】
また、好適には、意味関係記録モジュールには、以下のような項目の少なくとも１つを含んで、意味関係を記録する。
【００３９】
（１）  コンテンツのＩＤ。ＩＤは全体や部分に付与される。
（２）  意味関係を指定する対象。対象はいずれかのコンテンツの全体または部分であり、自分自身を意味関係の対象とすることができる。対象は、ＩＤまたはそのコンテンツの直接記載など、任意の形で指定できる。
（３）  意味関係の種類。
（４）  意味関係の値。
【００４０】
また、好適には、意味関係記録モジュールは、あるコンテンツやその部分が、複数の対象について意味関係を付与する場合も、また１つの対象について複数の意味関係を付与する場合も、意味関係を記録する。
【００４１】
本システムは、例えば、各種のコンピュータとソフトウェアを利用して実施することができる。また、前記端末は、構成員の所有する各種携帯端末などのコンピュータ及びソフトウェアとして実施でき、本システムの一部として構成してもよい。
【００４２】
【実施例１】
以下では、通常の掲示板を拡張したシステムにおいて、音声認識・音声操作機能を備えた通常のコンピュータを使って操作するためのサーバー及びクライアントのミドルウェアとして実装した実施例を説明する。ここでも、上記のような「未経験でプログラマになりたい」というメッセージ１に対して「自分自身で育つ。」というタイトルのメッセージ１０ｂにより返信するという具体例で考えてみよう。ここでは、以下のようなメッセージ１０ｂは、上記のメッセージ１０の部分の順番を適切に並び替えたものである。
【００４３】
『メッセージ１０ｂ』
ＩＤ：１０
自分自身で育つ。
投稿者：ｈｉｒｏｕｋａｍｉａｒｉ２００２／７／１０７：４９
メッセージ：１０／６８
（部分１０−１の始まり）
うーん、やる気と行動力があればなれる職業だと思いますよ。
（部分１０−１の終わり）
（部分１０−２の始まり）
＞このような条件でも育ててくださるような企業はあるでしょうか。
（部分１０−２の終わり）
（部分１０−３の始まり）
だけど、最初から「育ててもらおう」と考えてちゃダメです、
それでは成長できない（しない）と思います。
企業は育つためのサポートはしてくれますが、環境を提供してくれる
だけと考えて望んだほうが良いです。。。
（部分１０−３の終わり）
これはｓａｋｕｙａｒｅｉさんの１に対する返信です
【００４４】
まず、コンテンツ表示モジュールに掲示板のような形式でメッセージ１が表示された状態で、ユーザがそれに対する返信としてコンテンツを作成したいと考えたとする。ユーザは、音声で「これに返信」と発声すると、入力モジュールが新規コンテンツとして付与コンテンツ１０ｂの入力を受け付ける用意をし、意味関係指定モジュールは付与コンテンツ１０ｂと被付与コンテンツ１の間またはその部分の間に意味関係を指定する用意をする。次にユーザが、「これは、一部分真」あるいは「一部賛成」などと発声すると、意味関係指定モジュールは、意味関係指定語彙格納モジュールを参照してその発声内容とパターマッチなどを行ない、付与コンテンツ１０ｂ全体は被付与コンテンツ１全体に対して意味関係を付与するものであること、付与コンテンツ１０ｂは被付与コンテンツ１に対して真理値意味関係の値を一部分真として付与したことを、判断し、意味関係記録モジュールに通知する。ここで、意味関係指定モジュールは、ユーザから明示的な指定のなかった真理値意味関係の種類を、デフォルトで古典論理としてもよいし、ユーザに質問して回答させ意味関係指定語彙格納モジュールを参照してその発声内容とパターマッチなどを行なうことで指定してもよい。それを受けて、意味関係記録モジュールはその通知された内容を記録する。ここで付与コンテンツ１０ｂに付与されたＸＭＬタグもその旨を表現している。
【００４５】
この例では、メッセージは、たとえば以下のようにＸＭＬで記載され、意味関係も当該メッセージ内部にＸＭＬを用いて記載される。したがって、コンテンツ記録モジュールと意味関係記録モジュールは、実装上は１つのデータベースとなる。
【００４６】
『メッセージ１０ｂ』
＜ｃｏｎｔｅｎｔ＞
＜ｔｉｔｌｅ＞自分自身で育つ。＜／ｔｉｔｌｅ＞
＜ｉｄ＞１０ｂ＜／ｉｄ＞
＜ｔｉｍｅ＞２００２／  ７／１０  ７：４９＜／ｔｉｍｅ＞
＜ａｕｔｈｏｒ＞ｈｉｒｏｕｋａｍｉａｒｉ＜／ａｕｔｈｏｒ＞
＜ｔａｒｇｅｔ＞１＜／  ｔａｒｇｅｔ  ＞
＜ｐａｒｔ＞ｔｏｔａｌ＜／ｐａｒｔ＞
＜ｋｉｎｄ＞ｃｌａｓｓｉｃａｌ＜／ｋｉｎｄ＞
＜ｖａｌｕｅ＞ｐａｒｔｉａｌ  ｔｒｕｅ＜／ｖａｌｕｅ＞
＜ｃｏｎｔｅｎｔ＞
＜ｉｄ＞１０ｂ−１＜／ｉｄ＞
うーん、やる気と行動力があればなれる職業だと思いますよ。
＜／ｃｏｎｔｅｎｔ＞
＜ｃｏｎｔｅｎｔ＞
＜ｉｄ＞１０ｂ−２＜／ｉｄ＞
＜ｔａｒｇｅｔ＞このような条件でも育ててくださるような企業はあるでしょうか。＜／  ｔａｒｇｅｔ  ＞
＜ｐａｒｅｎｔ＞１＜／  ｐａｒｅｎｔ  ＞
＜ｋｉｎｄ＞ｑｕｏｔｅ＜／ｋｉｎｄ＞
＜ｖａｌｕｅ＞ｑｕｏｔａｔｉｏｎ＜／ｖａｌｕｅ＞
このような条件でも育ててくださるような企業はあるでしょうか。
＜／ｃｏｎｔｅｎｔ＞
＜ｃｏｎｔｅｎｔ＞
＜ｉｄ＞１０ｂ−３＜／ｉｄ＞
＜ｔａｒｇｅｔ＞１０ｂ−２＜／  ｔａｒｇｅｔ  ＞
＜ｐａｒｔ＞ｔｏｔａｌ＜／ｐａｒｔ＞
＜ｋｉｎｄ＞ｃｌａｓｓｉｃａｌ＜／ｋｉｎｄ＞
＜ｖａｌｕｅ＞ｆａｌｓｅ＜／ｖａｌｕｅ＞
＜ｋｉｎｄ＞ｒｅａｓｏｎ＜／ｋｉｎｄ＞
＜ｔａｒｇｅｔ＞１＜／  ｔａｒｇｅｔ  ＞
＜ｐａｒｔ＞ｔｏｔａｌ＜／ｐａｒｔ＞
＜ｋｉｎｄ＞ｐｏｓｓｉｂｉｌｉｔｙ＜／ｋｉｎｄ＞
＜ｖａｌｕｅ＞  ｔｒｕｅ＜／ｖａｌｕｅ＞＜ｋｉｎｄ＞ｒｅａｓｏｎ＜／ｋｉｎｄ＞だけど、最初から「育ててもらおう」と考えてちゃダメです、
それでは成長できない（しない）と思います。
企業は育つためのサポートはしてくれますが、環境を提供してくれる
だけと考えて望んだほうが良いです。。。
＜／ｃｏｎｔｅｎｔ＞
＜／ｃｏｎｔｅｎｔ＞
【００４７】
ここでは、以下のようなＸＭＬタグが用意されている。もちろん、ＸＭＬのタグの体系や形式はこれに限定されるものではない。たとえば、Ｓｅｍａｎｔｉｃ  Ｗｅｂの記載方法を利用してもよく、いくつかのＸＭＬタグは、別のＸＭＬタグに含まれる属性として表現してもよい。
【００４８】
＜ｔｉｔｌｅ＞：コンテンツのタイトル。タイトルは全体や部分に付与される。
＜ａｕｔｈｏｒ＞：コンテンツのＩＤ。ＩＤは全体や部分に付与される。
＜ｔｉｍｅ＞：コンテンツの作成日時。
＜ａｕｔｈｏｒ＞：コンテンツの作者。
＜ｔａｒｇｅｔ＞：意味関係を指定する対象、または引用の対象。対象はいずれかのコンテンツの全体または部分であり、自分自身を意味関係の対象とすることができる。対象は、ＩＤまたはそのコンテンツの直接記載など、任意の形で指定できる。
＜ｃｏｎｔｅｎｔ＞：実際のコンテンツ。このＸＭＬタグの木構造により、全体から部分へと階層的に作成される。
＜ｐａｒｅｎｔ＞：コンテンツを部分として含む全体に当たるコンテンツ。
＜ｐａｒｔ＞：意味関係を指定する対象が全体か、部分かというフラグ。
＜ｋｉｎｄ＞：意味関係の種類。ｑｕｏｔｅは、引用であることを意味している。
＜ｖａｌｕｅ＞：意味関係の値。ｑｕｏｔａｔｉｏｎは、そのまま引用していることを意味している。
【００４９】
次に、ユーザがキーボードで文字を打ち込むか、あるいは「内容入力」などの音声コマンドの後に音声認識入力のための発声を行うと、入力モジュールはそれを被付与コンテンツ１に対する付与コンテンツ１０ｂの入力開始として処理する。必要により、コンテンツ表示モジュールは被付与コンテンツ１と付与コンテンツ１０ｂを上下まはた左右などの２画面に分割した形で自動的にレイアウトして表示する。ここでは、ユーザは従来のようにわざわざ新たに入力画面を用意したり、被付与コンテンツ１の画面から入力画面へと切り替える必要はない。次に、ユーザが被付与コンテンツ１の被引用部分１−２を対象指定モジュールにより指定すると、入力モジュールは言及部分１０ｂ−１が終わったとして処理を行うとともに、意味関係指定モジュールは被引用部分１−２を引用メッセージ１０ｂの引用部分１０ｂ−２とする処理を自動的に行ない、意味関係記録モジュールに通知し、意味関係記録モジュールはそれを記録する。ここでは、従来のようにユーザによってわざわざ画面を切り替えて、コピーと貼り付けを行う必要はなく、しかもそのような意味関係が明確に記録される。
【００５０】
次に、ユーザは対象指定モジュールにより指定した被付与コンテンツ１の被引用部分１−２について、意味関係指定モジュールにより被引用部分に意味関係を付与する。ＸＭＬなどによりコンテンツが被引用部分となるべき部分ごとにその部分のタイトルや場所ＩＤとともにタグ付けされている場合は、ユーザは対象指定モジュールを通じて、音声またはマウスクリックやキーボード入力により被引用部分のタイトルや場所ＩＤを指定することで被引用部分を指定できる。以下では、そのようなタグ付けがされていない場合の例で説明する。その場合、ユーザが、被付与コンテンツ１の被引用部分１−２に相当する範囲をマウスや音声操作で選択し、「これは、偽」あるいは「反対」などと発声すると、意味関係指定モジュールは、意味関係指定語彙格納モジュールを参照してその発声内容とパターマッチなどを行ない、続いて入力される言及部分１０ｂ−３が引用部分１０ｂ−２（被引用部分１−２に相当する）に対して古典論理の真理値として真を付与することを、判断し、意味関係記録モジュールに通知する。同様に、ユーザが、被付与コンテンツ１全体をマウスで選択し、「これは、可能」あるいは「出来る」などと発声すると、意味関係指定モジュールは、意味関係指定語彙格納モジュールを参照してその発声内容とパターマッチなどを行ない、続いて入力される言及部分１０ｂ−３は被引用メッセージ１またはその主旨命題１に対して「可能であるかどうか」という様相論理の真理値として真を付与することを、判断し、意味関係記録モジュールに通知する。また、このように被付与コンテンツの部分に場所ＩＤやタイトルのタグ付けがない場合や、場所ＩＤやタイトルのタグ付けがない範囲について引用や意味関係の付与をしたい場合、対象指定モジュールはそれ以前にマウスで範囲を選択した被付与部分の一覧を表示し、ユーザがそこからクリックや音声操作によって選択をできるようにする。
【００５１】
次に、ユーザがキーボードで文字を打ち込むと、入力モジュールはそれを被付与部分１−２に対する付与部分１０ｂ−３の入力開始として処理する。ここでも、音声操作と音声認識、あるいは分割した形で自動的にレイアウトして表示することなどは、上記と同様である。
【００５２】
必要により、コンテンツ解析モジュールは、付与コンテンツや付与部分に現れる単語やその構文やＸＭＬタグなどを解析し、意味関係指定語彙格納モジュールを参照して、意味関係の種類や値を推定するために有用な情報を抽出する。それを受けて、意味関係指定モジュールは、コンテンツ解析モジュールの抽出結果と、意味関係指定語彙格納モジュールとを参照して、意味関係の種類またはそのデフォルトを指定したり、候補からユーザに選択させることができる。たとえば、コンテンツ解析モジュールが「するべき」という単語を抽出した場合、意味関係指定モジュールは、真理値意味関係の種類として義務を表す様相論理を、またその値として真を、デフォルトで指定することができる。また、たとえば、コンテンツ解析モジュールが「なぜならば」という単語を抽出した場合、意味関係指定モジュールは、内実意味関係の値として「理由」を、デフォルトで指定することができる。
【００５３】
【実施例２】
実施例１での意味関係付与のための音声操作は、マウス、キーボード、ボタンなどに適宜に代替することもできる。たとえば、マウスの右ボタンを利用する場合について、上述のように、ユーザーが被付与コンテンツ１の被引用部分１−２について、意味関係指定モジュールにより意味関係を付与する例で説明しよう。その場合、ユーザが、被付与コンテンツ１の被引用部分１−２をマウスで選択し、マウスの右ボタンを押すと、意味関係指定モジュールの実装として、そこに意味関係体系格納モジュールにある意味関係の種類や値を選択するためのメニューが表示されるので、そこから「古典論理の真理値」を選び、その下位メニューから値として「真」を選ぶことができる。すると、意味関係指定モジュールは、続いて入力される言及部分１０ｂ−３は被引用部分１−２に対して古典論理の真理値として真を付与することを、判断し、意味関係記録モジュールに通知する。同様に、ユーザが、被付与コンテンツ１全体をマウスで選択し、マウスの右ボタンを押すと、意味関係指定モジュールの実装として、そこに意味関係体系格納モジュールにある意味関係の種類や値を選択するためのメニューが表示されるので、そこから「様相論理の真理値」を選び、その下位メニューから「可能であるかどうか」を選び、さらにその下位メニューから値として「真」を選ぶことができる。すると、意味関係指定モジュールは、続いて入力される言及部分１０ｂ−３は被引用メッセージ１またはその主旨命題１に対して「可能であるかどうか」という様相論理の真理値として真を付与することを、判断し、意味関係記録モジュールに通知する。
【００５４】
【実施例３】
実施例１と実施例２のような意味関係の付与は、たとえば掲示板と連動したコミュニティシステムのメーリングリストにおいても、クライアント端末にミドルウェアを用意せずに簡便な形で実装することができる。すなわち、掲示板に被付与コンテンツの書き込みがありメーリングリストに自動的にその内容が送信される際に、当該被付与コンテンツに対して意味関係を簡便な形で付与することができる。たとえば、メーリングリストで送信される被付与コンテンツそのものに、意味関係指定モジュールは、意味関係指定語彙格納モジュールを参照して当該被付与コンテンツに対して付与したい真理値意味関係の値（真、偽、一部分真、不明など）に応じたリンクを用意することができる。リンクのタイトルとしては、例えば真、偽、一部分真、不明などの値に相当するものとして「賛成」「反対」「一部賛成」「わからない」などを用意してもよい。ここで例えば、被付与コンテンツに対して「これは賛成だ」と思ったユーザがそこにある「賛成」というリンクをクリックすると、意味関係指定モジュールの実装として当該リンクが示すＷＥＢページが開き、そこでさらに真理値意味関係の種類や内実意味関係の値と種類などを選択することができる。ここでは、意味関係指定モジュールは真理値意味関係の種類はデフォルトで古典論理とすることもできる。
【００５５】
【実施例４】
もちろん、コンテンツの形態は、多人数が意見を述べ合うような情報システムにおけるメッセージには限定されない。たとえば、映画の批評行為は映画と批評という異なるコンテンツ間でのコンテンツ間の意味関係の付与にほかならない。本発明を映画の配信と批評を支援するような情報システムに利用すれば、そこでのコンテンツ間の意味関係の構造は、いわゆる原作と批評の構造を意味しており、本発明を利用すれば、より価値ある批評を誘導し、その批評の記録の再利用を容易にし、原作の豊かな鑑賞に役立てることができる。その場合、ユーザは、画像については対象指定モジュールとして実装されたビューワソフトなどで、また音声や動画の場合は対象指定モジュールとして実装されたオーサリングソフトなどで、被付与コンテンツの被付与部分を対象指定モジュールの実装としてマウスなどで選択して、それに対して実施例１や実施例２で説明したような意味関係指定モジュールの音声やマウスによる操作を行うことで、意味関係体系格納モジュールと意味関係指定語彙格納モジュールを参照した意味関係の指定を行うことが出来る。
【００５６】
【発明の効果】
本発明は、コンテンツ間の意味関係をより簡便に付与することを可能とするため、コンテンツの効果的な創造と再利用を可能とする。たとえば、多人数が意見を述べ合うような情報システムにおいては、そこでのコンテンツであるメッセージの間の意味関係の構造は、いわゆる議論の構造を意味しており、本発明を利用すれば、より価値ある議論を誘導し、その議論の記録の再利用を容易にし、豊かな議論の推進に役立てることができる。また、たとえば本発明を映画の配信と批評を支援するような情報システムに利用すれば、そこでのコンテンツ間の意味関係の構造は、いわゆる原作と批評の構造を意味しており、本発明を利用すれば、より価値ある批評を誘導し、その批評の記録の再利用を容易にし、原作の豊かな鑑賞に役立てることができる。
【図面の簡単な説明】
【図１】コンテンツ制御システムの実施方法を示した説明図である。
【符号の説明】
１  コンテンツ表示モジュール
２  対象指定モジュール
３  意味関係指定モジュール
４  意味関係体系格納モジュール
５  意味関係指定語彙格納モジュール
６  入力モジュール
７  コンテンツ解析モジュール
８  コンテンツ記録モジュール
９  意味関係記録モジュール
【図１】
2004258818.tif 000003